(57)【要約】【課題】  荷物が入った段ボール箱等を身体の適切な位置に持って確実に運ぶことができるようにする。【解決手段】  垂直な背板２と、背板２の前面２ａにおける下端寄り部分に設けられた水平な板状荷台３と、板状荷台３の基部下側に設けられた立方体状のベース部材４と、背板２に取り付けられた左右一対の肩ベルト５とを有する荷物運搬具１であって、肩ベルト５の長さが、該肩ベルト５を使用者の肩に掛けた状態で前記荷台３が使用者の腹部における骨盤の高さ位置にくるように設定されており、荷台２上に荷物を載せるだけで自然に骨盤の高さ位置での荷物の保持が可能となる。【選択図】  図１
0003147070.tif 000002
【実用新案登録請求の範囲】
【請求項１】
荷物を載せる荷台と、荷台の後縁部から上方に伸びる背板と、背板の後面側に垂下した左右一対の肩ベルトとを有する荷物運搬具であって、肩ベルトの長さが、該肩ベルトを使用者の肩に掛けた状態で前記荷台が使用者の腹部における骨盤の高さ位置にくるように設定されていることを特徴とする、荷物運搬具。
【請求項２】
左右一対の肩ベルトがそれらの正面から見て略ハ字状となされていることを特徴とする、請求項１記載の荷物運搬具。
【考案の詳細な説明】
【技術分野】
【０００１】
本考案は、荷物が入れられた段ボール箱等を持ち運ぶのに便利な荷物運搬具に関する。
【背景技術】
【０００２】
通常、荷物を持ち運ぶ場合、荷物を両手で持ちながら、目的の場所まで歩くこととなるが、この場合、どれくらいの重力の荷物をどれくらいの距離まで持ち運ぶことができるかは、荷物を持つ人の握力、腕力および脚力等によって大きく左右される。また、荷物の持ち方や荷物を身体のどの高さ位置で保持するかといった荷物運びの技量によっても持ち運ぶことができる荷物の大きさや重量および距離に差が出ることとなる。
【考案の開示】
【考案が解決しようとする課題】
【０００３】
すなわち、一般的には青年男性の場合、握力、腕力および脚力があるため、かなり大きい荷物やかなり重力のある荷物でも容易に目的の場所まで持ち運ぶことができる。一方、非力な女性や高齢者の場合、荷物運びは重労働となるため、比較的軽い荷物を短い距離しか運ぶことができないのが通常である。したがって、重量のある荷物については、特にうまく持ち運ばないと腰を痛める危険がある。
【０００４】
また、引越しを行う場合には、通常、荷物が入った多数の段ボール箱を持ち運ぶ必要が生ずるが、この際、体力のある青年男性であっても、多くの段ボール箱を持ち運ぶことによって、手、腕および足等の筋肉が疲労し易く、特に段ボール箱を身体の適切な位置に持って運ぶようにしないと身体が疲労し易く、また集中力も散漫となって荷物を落としたりするおそれもある。
【０００５】
本考案の目的は、荷物が入った段ボール箱等を身体の適切な位置に持って確実に運ぶことができる荷物運搬具を提供することにある。
【課題を解決するための手段】
【０００６】
請求項１記載の本考案は、荷物を載せる荷台と、荷台の後縁部から上方に伸びる背板と、背板の後面側に垂下した左右一対の肩ベルトとを有する荷物運搬具であって、肩ベルトの長さが、該肩ベルトを使用者の肩に掛けた状態で前記荷台が使用者の腹部における骨盤の高さ位置にくるように設定されていることを特徴とするものである。
【０００７】
請求項２記載の本考案は、前記請求項１記載の荷物運搬具について、左右一対の肩ベルトがそれらの正面から見て略ハ字状となされていることを特徴とするものである。
【考案の効果】
【０００８】
人が荷物を持つ場合、荷物を腹部における骨盤の高さ位置で保持し、且つ該荷物を骨盤方向（身体方向）に寄せるのが理想的であるが、本考案に係る荷物運搬具によれば、左右一対の肩ベルトを肩に欠けて、荷台に荷物を載せるだけで自然に前述した理想的な荷物保持が行えることとなる。
【０００９】
したがって、荷物運びに不慣れな人であっても、容易に荷物の運搬作業が行える。また、非力な主婦等の女性や高齢者であっても、本考案に係る運搬具を使用すれば、腰を痛めることなく、安全に荷物運びが行える。
【００１０】
更に、本考案の運搬具によれば、その荷台に荷物を載せただけで該荷物の持ち運びが行え、荷物を紐やロープで荷台に縛りつける必要もないため、例えば、引越しにおいて、複数の作業者が一列に並んで荷物の受け渡し作業をリレーで行う際にも、各作業者が本考案に係る運搬具をそれぞれ装着すれば、荷物が入った段ボール箱は各作業者の運搬具における荷台上を移動するだけの状態となり、そのため荷物の運び出し並びに運び入れの作業が簡単かつ迅速に行える。また、本考案の運搬具によれば、荷物は常に荷台に保持されるため、作業者の疲労や不注意によって、荷物を足元や地面に落とす危険も確実に回避される。
【考案を実施するための最良の形態】
【００１１】
次に、本考案の実施形態を図面にしたがって説明するが、本考案はかかる実施形態に限定されるものではない。
【００１２】
（実施形態１）
【００１３】
図１〜図３に示すように、荷物運搬具１は、全体が木製であって、垂直な背板２と、背板２の前面２ａにおける下端寄り部分に設けられた水平な板状荷台３と、板状荷台３の基部下側に設けられた立方体状のベース部材４と、背板２に取り付けられた左右一対の肩ベルト５とを有している。
【００１４】
ベース部材４は、板状荷台３の基部下面および背板２の基部前面に対して多数のビス６によって固定されている。このベース部材４は、当該荷物運搬具１を地面や机上等の適当な場所に安定的に置き、且つ板状荷台３を支持するものである。
【００１５】
図３に示すように、肩ベルト５は、一本のベルトを背板２の上端寄り部分および下端寄り部分に形成された左右のスリット状透孔７Ａ・７Ｂに通して背板２の後面２ｂ側へ垂下させた左右一対の構造となされている。そして、前記透孔７Ａ・７Ｂについては、下側の左右の透孔７Ｂが上側の左右の透孔７Ａよりもそれぞれ背板２の両側縁２ｃ方向へ寄った構造となされている。このような構造とすることで、図３に示すように、左右の肩ベルト５がハ字状に垂下されている。そして、左右の肩ベルト５は、これを使用者の肩に掛けて当該荷物運搬具１を使用者の身体の前側に懸吊した際に、荷台３が丁度、使用者の骨盤の前側に位置する長さとなされている。
【００１６】
なお、図中８は、肩ベルト５の長さ調整用バックルであり、公知公用のものと同様である。
【００１７】
（実施形態２）
【００１８】
図４に示すように、荷物運搬具２１は、その本体がアルミニウム合金等の金属製であって、垂直な背板２２と、背板２２の下端から前方に伸びる板状荷台２３と、背板２２の後面側に垂下された左右一対の肩ベルト２５とを有している。肩ベルト２５の構造は、前記実施形態１における肩ベルト５と同様であり、説明を省略する。
【００１９】
なお、板状荷台２３の先端面２３ａは、本実施形態では、板状荷台２３の下面２３ｂ側から上面２３ｃ側に向かって徐々に高くなる傾斜状となされている。
【００２０】
本実施形態の荷物運搬具２１によれば、板状荷台２３を荷物が入った段ボール箱等の下側に差し込んで該段ボール箱等を容易に持ち上げることが可能となる。
【００２１】
（実施形態３）
【００２２】
図５に示すように、荷物運搬具３１は、全体が木製であって、垂直な背板３２と、背板３２の前面３２ａにおける下端寄り部分にビス（図示せず）で取付けられた水平な板状荷台３３と、板状荷台３３を支持する横断面逆倒Ｌ字形の支持部材３４と、背板３２の後面３２ｂ側に垂下する左右一対の肩ベルト３５とを有している。
【００２３】
前記支持部材３４は、アルミニウム合金等の金属製であって、ビス（図示せず）で背板３２の前面３２ａにおける下端寄り部分と板状荷台３３の下面３３ａにおける基部に固定されている。
【００２４】
なお、肩ベルト３５の構造は、前記実施形態１における肩ベルト５と同様であり、説明を省略する。
【産業上の利用可能性】
【００２５】
本考案の荷物運搬具によれば、荷物を簡単且つ安全に運ぶことができるため、幅広い利用が期待できる。
【図面の簡単な説明】
【００２６】
【図１】実施形態１に係る運搬具の斜視図である。
【図２】同実施形態に係る運搬具の側面図である。
【図３】同実施形態に係る運搬具の背面図である。
【図４】実施形態２に係る運搬具の側面図である。
【図５】実施形態３に係る運搬具の側面図である
【符号の説明】
【００２７】
１  荷物運搬具
２  背板
３  板状荷台
４  ベース部材
５  肩ベルト
【図１】
0003147070.tif 000003
【図２】
0003147070.tif 000004
【図３】
0003147070.tif 000005
【図４】
0003147070.tif 000006
【図５】
0003147070.tif 000007